(57)【要約】【課題】ユーザ装置などの１つ又は複数の端末と通信できるいくつかのセルを持つネットワークにマルチキャステイング・コンテントを供給するためのシステム及び方法を提供する。【解決手段】端末が通信することを望むどちらかのセルを選択でき、マルチキャステイング・コンテントを送信する少なくともいくつかのセルが同じマルチキャステイング・コンテントを送信している１つ又は複数の他のセルに関するセル情報も送信し、そして、端末がこの情報に基づいて端末が受信したいと意図するマルチキャステイング・コンテントを送信するセルの１つを選択する。【選択図】図１
2014239503.tif 000002
【特許請求の範囲】
【請求項１】
１つ又は複数の端末と通信できるいくつかのセルを有するネットワークにおいて、マルチキャステイング・コンテントを提供する方法であって、端末が通信したいと望むどちらかのセルを選択でき、マルチキャステイング・コンテントを送信している少なくともいくつかのセルが同じマルチキャステイング・コンテントを送信している１つ又は複数の他のセルに関するセル情報をも送信し、端末がこの情報に基づいて受信したいと意図するマルチキャステイング・コンテントを送信しているセルの１つを選択する、ことを含む方法。
【請求項２】
セル情報が、システム情報ブロック（ＳＩＢ）として送信される請求項１に記載の方法。
【請求項３】
セル情報が、セル内のブロードキャスト・チャンネル上に送信される請求項１に記載の方法。
【請求項４】
セル情報が、専用制御チャンネル（ＤＣＣＨ）上に送信される請求項１に記載の方法。
【請求項５】
セル情報が、同じマルチキャステイング・コンテントを送信するセルの各々に関するチャンネル化コードを含む請求項１に記載の方法。
【請求項６】
少なくとも２つのセルが、同じマルチキャステイング・コンテントを少なくとも２つの端末により受信されるダウンリンク共有チャンネル（ＤＳＣＨ）上に送信する請求項１に記載の方法。
【請求項７】
無線ネットワーク・コントローラ（ＲＮＣ）が、各々がダウンリンク共有チャンネル（ＤＳＣＨ）をブロードキャストするセルの少なくとも２つの基地局へマルチキャスト・コントテントをＤＳＣＨに送信し、そして、端末が十分又は最強電力で受信できるＤＳＣＨを選択する請求項１に記載の方法。
【請求項８】
少なくとも２つのセルが、同じマルチキャステイング・コンテントを少なくとも２つの端末により受信される転送アクセス・チャンネル（ＦＡＣＨ）上に送信する請求項１に記載の方法。
【請求項９】
セルの基地局が、マルチキャスト・コンテントの送信のために使用される転送アクセス・チャンネル（ＦＡＣＨ）に関連する専用チャンネル（ＤＣＨ）に関して知らせられる請求項１に記載の方法。
【請求項１０】
セルの基地局が送信電力を、
−検出されたＤＣＨ電力、又は
−関連するＤＣＨチャンネルの存在、又は
−一次／非一次セル状態を示すＳＳＤＴ（サイト選択ダイバーシチ送信）アップリンク・フィードバック情報、
に基づいて調節する請求項９に記載の方法。
【請求項１１】
ＤＣＨが各端末に対する各ＤＳＣＨに別々に関連付けられ、ＤＳＣＨに関連付けられたＤＣＨが観測され、そしてＤＣＨの関連付けられていないＤＳＣＨの送信が停止される請求項９に記載の方法。
【請求項１２】
端末が、少なくとも２つのセルからの情報の受信の品質を比較して、マルチキャステイング・コンテントを受信するためにより良い又はより強い受信を提供するセルを選択するように適合されている請求項１に記載の方法。
【請求項１３】
端末が、いくつかのセルから受信されたパイロット信号の強度又は電力を比較し、そして、現在聞いているセルのパイロット信号の強度又は電力よりもより高い強度又は電力を持って受信されるパイロット信号を送信するあるセルを検出した時、該あるセルが現在聞いているセルと同じマルチキャステイング・コンテントを提供するかどうかを検査し、そして、もし、肯定ならば、該あるセルからのマルチキャステイング・コンテントの復号を開始する請求項１２に記載の方法。
【請求項１４】
端末が、現在聞いているセルと同じマルチキャステイング・コンテントを該あるセルが提供していないと検出した時、該あるセルがマルチキャステイング・コンテントの送信を開始するように指示されるセル再選択手順を始める請求項１３に記載の方法。
【請求項１５】
端末が、一次共通パイロット・チャンネル（Ｐ−ＣＰＩＣＨ）上でいくつかのセルから受信されたパイロット信号の強度又は電力を比較する請求項１２に記載の方法。
【請求項１６】
１つ又は複数の端末と通信できるいくつかのセルを有するネットワークにおいて、マルチキャステイング・コンテントを提供するシステムであって、端末が通信したいと望むどちらかのセルを選択でき、マルチキャステイング・コンテントを送信している少なくともいくつかのセルが同じマルチキャステイング・コンテントを送信している１つ又は複数の他のセルに関するセル情報をも送信し、端末がこの情報に基づいて受信したいと意図するマルチキャステイング・コンテントを送信しているセルの１つを選択するシステム。
【請求項１７】
セル情報が、システム情報ブロック（ＳＩＢ）として送信される請求項１６に記載のシステム。
【請求項１８】
セル情報が、セル内のブロードキャスト・チャンネル上に送信される請求項１６に記載のシステム。
【請求項１９】
セル情報が、専用制御チャンネル（ＤＣＣＨ）上に送信される請求項１６に記載のシステム。
【請求項２０】
セル情報が、同じマルチキャステイング・コンテントを送信するセルの各々に関するチャンネル化コードを含む請求項１６に記載のシステム。
【請求項２１】
少なくとも２つのセルが、同じマルチキャステイング・コンテントを少なくとも２つの端末により受信されるダウンリンク共有チャンネル（ＤＳＣＨ）上に送信する請求項１６に記載のシステム。
【請求項２２】
無線ネットワーク・コントローラ（ＲＮＣ）が、各々がダウンリンク共有チャンネル（ＤＳＣＨ）をブロードキャストするセルの少なくとも２つの基地局へマルチキャスト・コントテントをＤＳＣＨに送信し、そして、端末が十分又は最強電力で受信できるＤＳＣＨを選択する請求項１６に記載のシステム。
【請求項２３】
少なくとも２つのセルが、同じマルチキャステイング・コンテントを少なくとも２つの端末により受信される転送アクセス・チャンネル（ＦＡＣＨ）上に送信する請求項１６に記載のシステム。
【請求項２４】
セルの基地局が、マルチキャスト・コンテントの送信のために使用される転送アクセス・チャンネル（ＦＡＣＨ）に関連する専用チャンネル（ＤＣＨ）に関して知らせられる請求項１６に記載のシステム。
【請求項２５】
セルの基地局が送信電力を、
−検出されたＤＣＨ電力、又は
−関連するＤＣＨチャンネルの存在、又は
−一次／非一次セル状態を示すＳＳＤＴ（サイト選択ダイバーシチ送信）アップリンク・フィードバック情報、
に基づいて調節する請求項２４に記載のシステム。
【請求項２６】
ＤＣＨが各端末に対する各ＤＳＣＨに別々に関連付けられ、少なくとも１つのネットワーク要素がＤＳＣＨに関連付けられたＤＣＨを観測するように適合され、そして、そのネットワーク要素又は別のネットワーク要素がＤＣＨの関連付けられていないＤＳＣＨの送信を停止する請求項２４に記載のシステム。
【請求項２７】
端末が、少なくとも２つのセルからの情報の受信の品質を比較して、マルチキャステイング・コンテントを受信するためにより良い又はより強い受信を提供するセルを選択するように適合されている請求項１６に記載のシステム。
【請求項２８】
端末が、いくつかのセルから受信されたパイロット信号の強度又は電力を比較し、そして、現在聞いているセルのパイロット信号の強度又は電力よりもより高い強度又は電力を持って受信されるパイロット信号を送信するあるセルを検出した時、該あるセルが現在聞いているセルと同じマルチキャステイング・コンテントを提供するかどうかを検査し、そして、もし、肯定ならば、該あるセルからのマルチキャステイング・コンテントの復号を開始する請求項２７に記載のシステム。
【請求項２９】
端末が、現在聞いているセルと同じマルチキャステイング・コンテントを該あるセルが提供していないと検出した時、該あるセルがマルチキャステイング・コンテントの送信を開始するように指示されるセル再選択手順を始める請求項２８に記載のシステム。
【請求項３０】
端末が、一次共通パイロット・チャンネル（Ｐ−ＣＰＩＣＨ）上でいくつかのセルから受信されたパイロット信号の強度又は電力を比較する請求項２７に記載のシステム。
【請求項３１】
端末と通信できるいくつかのセルを有するネットワークにおいて、マルチキャステイング・コンテントを受信するための端末であって、端末が通信したいと望むどちらかのセルを選択でき、端末がセルから送信されたどのセルが同じマルチキャステイング・コンテントを送信しているかを示すセル情報に基づいて受信したいと意図するマルチキャステイング・コンテントを送信しているセルの１つを選択する端末。
【請求項３２】
マルチキャスト・コンテントがセルの少なくとも２つの基地局によりダウンリンク共有チャンネル（ＤＳＣＨ）上に送信されて、そして、端末が十分又は最強の電力を持って受信できるＤＳＣＨを選択する請求項３１に記載の端末。
【請求項３３】
端末が、少なくとも２つのセルからの情報の受信の品質を比較して、マルチキャステイング・コンテントを受信するためにより良い又はより強い受信を提供するセルを選択するように適合されている請求項３１に記載の端末。
【請求項３４】
端末が、いくつかのセルから受信されたパイロット信号の強度又は電力を比較し、そして、現在聞いているセルのパイロット信号の強度又は電力よりもより高い強度又は電力を持って受信されるパイロット信号を送信するあるセルを検出した時、該あるセルが現在聞いているセルと同じマルチキャステイング・コンテントを提供するかどうかを検査し、そして、もし、肯定ならば、該あるセルからのマルチキャステイング・コンテントの復号を開始する請求項３３に記載の端末。
【請求項３５】
端末が、現在聞いているセルと同じマルチキャステイング・コンテントを該あるセルが提供していないと検出した時、該あるセルがマルチキャステイング・コンテントの送信を開始するように指示されるセル再選択手順を始める請求項３４に記載の端末。
【請求項３６】
端末が、一次共通パイロット・チャンネル（Ｐ−ＣＰＩＣＨ）上でいくつかのセルから受信されたパイロット信号の強度又は電力を比較する請求項３３に記載の端末。
【発明の詳細な説明】
【技術分野】
【０００１】
本発明は、例えば、ＷＣＤＭＡ(登録商標)において、マルチキャステイング・コンテントのための選択ダイバーシチの方法及びシステムに関する。マルチキャステイング・コンテントという用語は、コンテントがいくつかのユーザへ意図されていることを意味する。
【０００２】
さらに、本発明は、マルチキャステイング・コンテントを受信することが意図されて、選択手段又は機能を含む、ＵＥ（ユーザ装置）、例えば、モバイル電話機などのネットワーク・エンティテイに関する。
【背景技術】
【０００３】
本発明の技術分野は、ＵＭＴＳ地上無線アクセス（ＵＴＲＡ；ＵＭＴＳ＝汎用モバイル通信システム）、例えば、３ＧＰＰ  ＵＴＲＡ仕様（３ＧＰＰ＝第三世代パートナーシップ・プロジェクト）のリリース６などの将来のリリース、に関する。
【０００４】
マルチキャステイング、ＭＢＭＳ（マルチメディア・ブロードキャステイング／マルチキャステイング・サービス）に対する標準化サポートが説明される。
【発明の概要】
【発明が解決しようとする課題】
【０００５】
マルチキャストは、ＦＡＣＨに基づく。ハンドオーバー（ＨＯ）はＦＡＣＨについてサポートされていないため、マルチキャストについてＨＯはサポートされていない。マルチキャストＨＯを可能にするため、ＢＴＳ再同期化が考えられるが、これは実現が困難である。
【課題を解決するための手段】
【０００６】
本発明は上記問題を解決することを意図している。
【０００７】
そして、本発明は１つの観点によると、独立形式の方法の請求項又は従属形式の方法の請求項のいずれか１つに定義された方法を提供する。
【０００８】
本発明は、さらなる観点によると、独立形式のシステムの請求項又は従属形式のシステムの請求項のいずれか１つに定義されたシステムを提供する。
【０００９】
さらに、本発明は、独立形式の端末の請求項又は従属形式の端末の請求項のいずれか１つに定義された端末を提供する。
【００１０】
本発明は、ＢＴＳ再同期化を必要とせず、そして、端末、例えば、ユーザ装置（ＵＥ）、又は、ネットワークにどんな余分なタイミング要求を課さないハンドオーバー、好ましくは、ソフト・ハンドオーバー（ＳＨＯ）のためのシステム及び方法を提供する。
【００１１】
本発明は、マルチキャステイング送信の場合のソフト・ハンドオーバー及びソフト・ハンドオーバーの関連した利点を提供する。
【００１２】
提案されたコンセプトは、最小の追加のネットワーク負荷とネットワーク及び端末、例えば、ＵＥ（ユーザ装置）の観点から複雑でない構造でもって、及び、ネットワーク内の複雑なタイミング制御を要求しない、マルチキャスト、ＭＢＭＳ、のためのハンドオーバーを可能にする。
【００１３】
本発明の１つの目的は、マルチキャステイング・コンテントのためのソフト・ハンドオーバーを提供するシステム及び方法を提供することである。好適な解決の１つは、ＤＳＣＨ及び選択ダイバーシチの使用に基づいている。
【００１４】
本発明は、マルチキャスト・コンテント、すなわち、マルチキャスト・メッセージを送信及び受信するために使用されるノードＢ同期化を必要としない新規なマクロ・ダイバーシチ方法を可能にする。
【００１５】
伝統的な極大比結合方法により、ソフト・ハンドオーバーはダウンリンク送信においてリンクが時間整列されることを必要とする。これは専用チャンネルについて行うことができる。しかし、マルチキャステイング・コンテントにより、問題は、ネットワーク中の全てのＵＥがこれについて考慮されなければならず、従って、同期化要件が大きなセル配置では大変厳しくなることである。
【００１６】
従来では、ソフト・ハンドオーバーでは専用チャンネルのみが考慮されていて、個別のＵＥが無線リンクのタイミングを制御している。これはいくつかのＵＥが同じコンテントを受信すると想定される時に異なる。
【００１７】
また、本発明は、現在のブロードキャスト解決に対してより良い性能の利点を提供する。提案された「全」マクロ・ダイバーシチに対して、新しい同期は要求されない。
【００１８】
本発明の１つ又はいくつかの実施の形態によると、ＤＳＣＨ（ダウンリンク共有チャンネル）が、マルチキャステイングのために使用される。問題のＤＳＣＨと関連付けられていることを示されたＤＣＨ（専用チャンネル）が存在する時、データが送信される必要がある。
【００１９】
本発明は、好ましくは、ＣＤＭＡ（コード分割多重アクセス）又はＷＣＤＭＡ(登録商標)（広帯域コード分割多重アクセス）に適用されるが、また、他のネットワーク・タイプにも同様に適用される。
【図面の簡単な説明】
【００２０】
【図１】本発明の１つの実施の形態によるマルチキャスト・サービスのための選択ダイバーシチを提供するシステムを示す図。
【図２】本発明の１つの実施の形態のシステム、方法又は加入者端末などにおいて実現される決定プロセスを示すフロー・チャート。
【図３】本発明の１つの実施の形態のシステム、方法又は端末などにおいて実現されるさらなる決定プロセスを示すフロー・チャート。
【発明を実施するための形態】
【００２１】
本発明の実施の形態の基本的な第１部分によると、マルチキャスト・メッセージは、ＦＡＣＨ（転送アクセス・チャンネル）の代わりに、ＤＳＣＨ（ダウンリンク共有チャンネル）中に送信される。以前は、ユーザ装置などの端末は、ＵＥが最良に聞くことのできるそのＢＴＳからのみＤＳＣＨを聞いており、そしてＲＮＣはその特定のＢＴＳへのみＤＳＣＨを送信していた。
【００２２】
他の全ての提供される解決にも同様に適用可能な提供される好適な解決の１つにおいて、ＲＮＣは多くの基地局、例えば、各々がＤＳＣＨを送信するノードＢ又はＢＴＳ（基地送受信機局）、に対して、ＤＳＣＨにマルチキャスト・コンテントを送信する。端末、例えば、ＵＥはそれが最良に聞くことができるＤＳＣＨを選択する。有利な点は、ＨＯがマルチキャストにおいて可能なことである。
【００２３】
ＤＣＨが、各ＵＥに対する各ＤＳＣＨに別々に関連付けられる。より進歩した実施の形態、すなわち、拡張バージョンでは、ＤＣＨはＤＣＨを送信する基地局などのＢＴＳネットワーク要素又は無線コントローラＲＮＣなどの別のネットワーク要素により観測される。これ及び他のネットワーク要素、例えば、ＢＴＳは、いずれのＵＥにより聞かれていないそのＤＳＣＨを送信することを停止できる。この拡張バージョンでは、ＢＴＳ内のどんな関連したＤＣＨの存在の知識が使用される。ＤＣＨとＤＳＣＨの間の関係は次の通りである。ＵＥは、関連したＤＣＨも受信せずにＤＳＣＨを受信することはできない。従って、もし、あるＤＳＣＨに対して関連するＤＣＨが存在しなければ、だれもそのＤＳＣＨを受信していない。しかし、ＤＳＣＨと関連しないＤＣＨもまた存在でき、このために、セル内に活動的ＤＣＨが存在できることに注意しなければならない。活動的ＤＣＨのどれもＤＳＣＨに関連付けられていない限り、ＤＳＣＨマルチキャステイングは停止される。
【００２４】
もし、関連付けられたＤＣＨが存在しない場合、ＤＳＣＨを受信するユーザが存在しない。従って、ＤＳＣＨを送信する必要性がない。すなわち、無線ネットワーク・コントローラ、ＲＮＣ、又は、送信装置、好ましくは、ＢＴＳなどのネットワーク要素（少なくとも１つ）は、もし、ＤＳＣＨに関連付けられたＤＣＨが存在しない場合、すなわち、ＤＳＣＨがいずれの端末により聞かれていない場合、ＤＳＣＨの送信を停止する。このＤＣＨの監視の可能性及び送信の停止は、マルチキャストのためにＤＳＣＨを使用することの１つの利点である。ＤＳＣＨを使用する別の利点は、ＤＳＣＨは、ポイント・ツー・マルチポイントであることである。
【００２５】
本発明はいくつかのレベルの可能な実現を含む。
−ＤＳＣＨの使用
−ＤＳＣＨの使用及び選択ダイバーシチ
−ＤＳＣＨの使用、選択ダイバーシチ、不使用ＤＳＣＨの閉鎖
−ＦＡＣＨの使用、すなわち、「通常」ＭＢＭＳ送信モード及び選択ダイバーシチ
【００２６】
いずれの場合も本発明の重要なアイディアは、マルチキャスト・コンテントの場合、情報（ＳＩＢ、ＤＣＣＨ＝専用制御チャンネル等にて送信される、セル情報）が、同じマルチキャスト・コンテントが送信されている他のセルにも供給され、及び、端末が他のセルからのマルチキャスト・コンテントを復号することを可能にするパラメータである他のセル内の拡散コードなど必要なパラメータも供給される。端末は、独立に、どのセルを受信するかを選択できる。
【００２７】
利点は高い性能である。さらに、情報が前もって利用可能であるため、サービス受信を続けることができる前に（ユーザが別のセルに移動した時のセル再選択後）、ブロードキャスト情報（ＳＩＢ）を読む必要が無い。
【００２８】
このために使用できるチャンネルは、好ましくは、以下の様により詳細なイッシューを持つ、ＦＡＣＨ及びＤＳＣＨ（ダウンリンク共有チャンネル）である。
【００２９】
ＤＳＣＨでは、複数セルから同じＤＳＣＨを送信しそして複数ユーザにより受信される。（従来では、一時に、ＤＳＣＨが１つのセルから単一ユーザのみに送信される。）
【００３０】
ＦＡＣＨでは、既存のＤＣＨと一緒にチャンネルを送信する時、基地局はどのＤＣＨがＦＡＣＨ（ＭＢＭＳ）受信に関連しているかを知ることができ、知った時、基地局は送信電力を以下に基づいて調整できる。例えば、
【００３１】
−ＤＣＨ電力
−関連したＤＣＨチャンネル（ユーザが来て行く時）の存在
−ＳＳＤＴなどのアップリンク・フィードバック情報（ＤＣＨ送信のためにどのセルが最良であるかアップリングにおいて指示する特徴、例えば、一次／非一次セル状態を示すＳＳＤＴアップリンク・フィードバック情報）が、もし、全ての端末がいくつかの他のセルを非一次と指示する場合は送信せずに又はＴＸ（送信）電力を減少することにより、ＦＡＣＨ（ＭＢＭＳ）送信に対して同様に考慮できる。（端末はアップリンクでどのセルが最強であるかのＳＳＤＴ指示を送信する。）（ＳＳＤＴ＝サイト選択ダイバーシチ送信）
【００３２】
本発明は、以下の通りソフト・ハンドオーバーを支援するために追加された特徴と一緒にいくつかのユーザへマルチキャステイング・コンテントを提供するためにＤＳＣＨ（ダウンリンク共有チャンネル）を使用できる。今、ＤＳＣＨはいくつかのユーザのために意図されたコンテントを持つ。これは、例えば、小さなプロトコル・レベルの修正により実現できる。
【００３３】
ＤＳＣＨが、同じＭＢＭＳコンテントを持ってノードＢから送信される。そして、今、端末がどのＤＳＣＨを受信するかを、例えば、ＣＰＩＣＨ信号強度に基づいて選択する。ここで、ＴＦＣＩに対するスプリット・モードが同じく使用できる。これはダイバーシチに基づく選択であって、通常のＤＳＣＨ操作の一部ではない。
【００３４】
ノードＢは、マルチキャステイングＤＳＣＨに関連する複数のＤＣＨを通知される。そして、ハンドオーバー状態の場合は、ＤＣＨのどれもがもはや活動的ではなく、ＤＳＣＨは送信される必要が無い。そして、それらの送信はノードＢにより停止できる。
【００３５】
ＵＥの数か高くて全てのＵＥがＤＣＨを持つことを望まない場合、代替の方法は、選択原理と共にＦＡＣＨの使用を考慮することである。また、これはマルチキャステイングのためのＦＡＣＨ電力レベルを減少することを可能にする。
【００３６】
図１乃至図３は、選択ダイバーシチの使用に関する本発明の実施の形態の詳細を示す。実施の形態は、マルチキャスト・メッセージ、例えば、ＭＢＭＳを経由して送信された、の選択ダイバーシチにおけるハンドオーバーの観点を説明する。
【００３７】
図１は、本発明の１つの実施の形態による方法及びシステムの第１の実施の形態を示す。この実施の形態は、ＭＢＭＳに対してＵＴＲＡＮにおいて選択ダイバーシチを提供するように構成されている。
【００３８】
ＭＢＭＳコンテント、すなわち、１つ又は複数のマルチキャスト・メッセージのコンテントが、コア・ネットワーク（ＣＮ）からＢＳＣ（基地局コントローラ）又はＲＮＣ（無線ネットワーク・コントローラ）１などの１つ又はいくつかの送信コントローラへ送信される。コントローラ１は、このＭＢＭＳコンテントを、ＢＴＳ又はノードＢなどの１つ又はいくつかの無線送信機２、３へ送信する。このＭＢＭＳコンテントを受信する全ての送信機２、３はこのコンテント、すなわち、マルチキャスト・メッセージ、を共通チャンネルＭＢＭＳ送信を経由して１つまたは複数の端末４へ送信する。例えば、共通パイロット・チャンネル（ＣＰＩＣＨ）、好ましくは、Ｐ−ＣＰＩＣＨ（一次共通パイロット・チャンネル）上のパイロット信号の比較を実行し、このＣＰＩＣＨ又はｐ−ＣＰＩＣＨの比較の結果に基づいて、共通チャンネルの１つ、好ましくは、最強の共通チャンネルの選択を実行することにより、端末４は選択を実行する。
【００３９】
図２及び図３は、１つ又は複数の端末４、例えば、ＵＥを持つ実施の形態において実現されたルーチンのフロー・チャート及び本発明の実施の形態による方法を示す。端末４において実行される決定プロセスが詳細に示される。
【００４０】
ＲＡＮ（無線アクセス・ネットワーク）、例えば、基地送受信機局（ＢＴＳ）又はノードＢ２、３が、同じＭＢＭＳコンテントを送信する各セルに関する例えば拡散コードであるチャンネル化コードを含むセル情報を持つシステム情報ブロック（ＳＩＢ）を送信する。ＳＩＢは、好ましくは、セル内のブロードキャスト・チャンネル上で送信される。また、この情報は他のチャンネル上で同様に送信できる。
【００４１】
セル選択／再選択は、実施の形態では、サービス・ドリブンではない。
【００４２】
既存のセル選択規則は違反されていない。
【００４３】
図２に示される実施の形態では、ＦＡＣＨ（転送アクセス・チャンネル）が、システム情報ブロック（ＳＩＢ）を送信するために使用される。また、ＦＡＣＨはいくつかの又は全ての他の実施の形態でも使用できる。
【００４４】
ステップＳ２１で、端末４、例えば、ＵＥは、マルチキャスト・サービスに参加することを決定し、そこへ登録する（サービス参加）。ステップＳ２２で、端末４は、ブロードキャスト・チャンネル上で送信されたＳＩＢ及び通知を読む。また、通知は別のチャンネル上で送信できる。ＳＩＢは、同じＭＢＭＳコンテントを送信する各セルに関するチャンネル化コードを含んだセル情報を含む。ステップＳ２３で、端末４は、受信したマルチキャスト・メッセージを復号する（ＭＢＭＳデータを復号する）。
【００４５】
ステップＳ２４で、異なるセルから受信したパイロット信号が、より良いチャンネル、例えば、より大きい電力又はより少ないエラー等で受信されたチャンネル、を決定するために比較される。一例として、受信されたパイロットの強度又はエラーの少なさが、より高い強さ又は減少されたエラー率等を持つ受信された１つ又は複数のパイロット信号を見つけるために互いに比較される。ステップＳ２５で、決定が行われる。より良いのが無い時は、例えば、より強いパイロット（信号）がステップＳ２４で見つけられる。ステップＳ２３、Ｓ２４、Ｓ２５を繰返して実行するために、ルーチンがステップＳ２３にループ・バックする。
【００４６】
ステップＳ２４で、より良い、例えば、より強いパイロット（信号）が見つかった時、ルーチンはステップＳ２５からステップＳ２６へ進み、そこで、検出されたより良い又は最良（最強又は最もエラーの少ない）のパイロットを持つセルが、同じマルチキャステイング・コンテントを提供するかどうか、すなわち、ステップＳ２１でユーザにより選択されそして端末４により実際に聞かれたセルにより提供された同じマルチキャスト・サービスを提供するかどうかが検査される。
【００４７】
ステップＳ２６での答えが、イエスの時、ルーチンはステップＳ２７に進む。そこで、検出されたより強い又はより良いパイロット信号を送信する新しいセルからのＭＢＭＳデータが復号される。すなわち、端末４は、マルチキャスト・メッセージを受信するために新しいセルへハンドオーバーされる、すなわち、切り替えられる。
【００４８】
例えば、端末が移動している場合、ルーチンは連続的に又は繰返してさらに強い又はより良いパイロット信号を検出するために、好ましくはステップＳ２７から比較ステップＳ２４及び決定ステップＳ２５へ戻る。
【００４９】
ステップＳ２６で、端末によってより良く受信されたパイロット信号を送信しているセルが同じマルチキャスト・コンテントを提供していない、とシステムが検出した時、ステップ２８で、セル再選択機能又は手段が活性化される。端末４によってより良く受信された新しいセルは、ネットワーク管理又はコントローラにより、端末４が受信することを欲するＭＢＭＳコンテントを追加的に送信することを指示される。従って、ＳＩＢは、新セルのチャンネル化コードを含むセル情報を追加的に示す又は含むために適応されている。プロセスは、ステップ２８からステップ２２へ進み、そこて、ＳＩＢが再び端末４により読まれて、そして、端末４は好ましくはマルチキャスト・メッセージ、ＭＢＭＳデータ、を復号するために新しいセルを選択することを指示される。代替方法として、プログラムはまた、セル再選択プロセス又はステップＳ２８を実行した後、ステップ２２への戻りを省略して、そして直接的に端末４に新セルからのマルチキャスト・コンテントを復号するために新セルを選択することを指示する。その後、ステップＳ２４、Ｓ２５等が上述したように再び実行される。
【００５０】
図３に示される実施の形態は、専用チャンネル、ＤＣＨ、が存在し、そして、ＭＢＭＳコンテントが、ＤＳＣＨ（ダウンリンク共有チャンネル）又はＦＡＣＨ上のＤＣＨ活動組（全てからの必要は無い）内のセルから並列に送信される構造を有する。図３は、ＤＣＨ活動である端末決定プロセスに関連する。
【００５１】
ネットワークは、同じＭＢＭＳコンテント（拡散コード等を含む）を送信するセル（活動組内の）に関するセル情報を送信する。この情報は、ＳＩＢ又はＤＣＣＨ（専用制御チャンネル）内に送信できる。
【００５２】
図３に示されるステップＳ３１乃至Ｓ３７は、図２のステップＳ２１乃至Ｓ２７と大体同じである。このため上述のこれらのステップの説明は、以下の例外を除いて、ステップＳ３１乃至Ｓ３７にも適用される。ステップ３２において、ＳＩＢ又はＤＣＣＨ上に送信された情報が、同じＭＢＭＳコンテント（拡散コード等を含む）を送信するセル（活動組内）に関する情報を検出するために、端末４により読取られる。
【００５３】
ステップ３６において、端末４によってより良く受信されたパイロット信号を送信するセルが、端末４が受信することを欲する同じマルチキャスト・コンテントを提供しないと決定された時、プログラム・ルーチンは、ＭＢＭＳマルチキャスト・メッセージが前と同じセルから再び読取られるように、ステップ３３へ進む。従って、端末４によりセル再選択は実行されない。
【００５４】
しかし、もし、ステップＳ３６でより良いパイロットで見つかり、このより良いパイロットを送信している新セルが活動組内に無い場合、通常の報告及びモビリテイ管理規則が、例えば、新セルも同様に含むために活動組を更新するために、使用できる。すなわち、活動組の更新が可能である。このような更新の後、ステップＳ３４、Ｓ３５、Ｓ３６を経て再びループする時、ステップＳ３６の答えがイエスとなり、その後にステップＳ３７へスイッチングされる。すなわち、新セルからのＭＢＭＳデータが復号される。
【００５５】
従って、実施の形態は、例えば、ＵＴＲＡＮでＭＢＭＳに対して、選択ダイバーシチを提供する。
【００５６】
本発明の実施の形態によると、マルチキャスト選択ダイバーシチ及びハンドオーバー（ＨＯ）のための、例えば、ＭＢＭＳ  ＨＯのための、いくつかの好適な端末機能又は機能性は、
最強の共通チャンネルを選択し（例えば、Ｐ−ＣＰＩＣＨ上、選択に基づいて）、例えば、ＤＳＣＨ又はＦＡＣＨのいずれかが使用できる。
【００５７】
選択ダイバーシチ・プロセスの際に非同期ネットワークにおいて２つの共通チャンネルを受信し（もし、より強いセルがＳＦＮタイミングにおいてより進んでいる場合、少なくとも、タイミング差の期間の間のスイッチング・プロセスの間）、これはオプショナルな特徴で、例えば、ＱｏＳ（サービスの品質）要件に依存して、実現しても又は実現しなくてもよい。１つ又は複数の１０ｍｓフレーム損失が許容できる時（もし、例えば、ノードＢタイミングが１０ｍｓ以内の場合）、２つの共通のチャンネルの並列な受信は必要でない。いずれの場合も、通常、いくつかのフレームの損失が存在する。
【００５８】
ノードＢがデータを送信する端末４を通知する関連ＳＩＢを復号する。
【００５９】
以前は、並列ＤＣＨ／ＦＡＣＨ受信の要件が存在しなかった。それにもかかわらず、もし、端末がＤＣＨ／ＦＡＣＨを同時に受信できる場合、２つのＦＡＣＨの受領は複雑性を増加しない。それ以外は、端末は並列にＤＣＨ／ＦＡＣＨを受信するために適合できる。もし、ＭＢＭＳコンテントがＤＣＨ／ＤＳＣＨの場合又はＤＣＨ／ＦＡＣＨの場合にも考慮されるならば、端末はＤＣＨに加えて２つの共通チャンネルを受信するように適合される（しばらくの間）。この要件は、もし、ネットワークがノードＢタイミング、例えば、１０ｍｓタイミング内にあるならば、スイッチングに起因するＭＢＭＳ送信及び１フレーム損失は許容できるため、除去できる。そして、受信資源に対する要件は、ＤＣＨ／ＦＡＣＨ又はＤＣＨ／ＤＳＣＨ可能端末と同じである。
【００６０】
選択ダイバーシチのため、Ｐ−ＣＰＩＣＨが好ましくは測定される。余分な処理が要件に依存して提供される。もし、要件が同様なレベルである場合、又は、超過しない場合、要件はＳＳＤＴ特徴のために設定され、追加の複雑性を生じない。端末４は、一時に、６セルまでからのＰ−ＣＰＩＣＨを監視でき、端末４を取囲む６セルを含むと仮定される、考慮すべきＤＣＨの活動組内にあるセルを考慮することができる。
【００６１】
同時的にＤＣＨ＋ＭＢＭＳコンテントを受信することは、ＵＥの能力である。
【００６２】
本発明の実施の形態によると、マルチキャスト・ハンドオーバー、例えば、ＭＢＭＳ  ＨＯのための好適なネットワーク機能は、
選択ダイバーシチ内のＭＢＭＳのための新ノードＢ機能が不要である。単に可能なタイミング問題は以下の通りである。
【００６３】
１０ｍｓタイミング仮定によると、ＭＢＭＳコンテントはＲＮＣ内又はノードＢ内のいずれかに時間的に好ましくは整列される（ある遅延が導入される必要があるため共にあるバッファを意味する）。
【００６４】
コア・ネットワーク（ＣＮ）の新規な機能性、例えば、ＲＡＮ側でのＨＯ支援オプションのための、は必要でない。一般に、ＭＢＭＳコンテントを提供できる全てのセルは、利用可能なＭＢＭＳコンテントと共に対応するＲＮＣを有する。
【００６５】
以上、好適な実施の形態が説明されたが、本発明はそれらに限定されるものではなく、例えば、１つ又は複数の実施の形態の１つ又は複数の特徴を別の実施の形態の１つ又は複数の特徴とを任意の態様で組合わせることにより、別の態様でも実現できる。
【図１】
2014239503.tif 000003
【図２】
2014239503.tif 000004
【図３】
2014239503.tif 000005
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
１つ又は複数の端末と通信できるいくつかのセルを有するネットワークにおいて、マルチキャステイング・コンテントを提供する方法であって、端末が通信したいと望むどちらかのセルを選択でき、マルチキャステイング・コンテントを送信している少なくともいくつかのセルが同じマルチキャステイング・コンテントを送信している１つ又は複数の他のセルに関するセル情報をも送信し、端末がこの情報に基づいて受信したいと意図するマルチキャステイング・コンテントを送信しているセルの１つを選択する、ことを含む方法。
【請求項２】
１つ又は複数の端末と通信できるいくつかのセルを有するネットワークにおいて、マルチキャステイング・コンテントを提供するシステムであって、端末が通信したいと望むどちらかのセルを選択でき、マルチキャステイング・コンテントを送信している少なくともいくつかのセルが同じマルチキャステイング・コンテントを送信している１つ又は複数の他のセルに関するセル情報をも送信し、端末がこの情報に基づいて受信したいと意図するマルチキャステイング・コンテントを送信しているセルの１つを選択するシステム。
【請求項３】
端末と通信できるいくつかのセルを有するネットワークにおいて、マルチキャステイング・コンテントを受信するための端末であって、端末が通信したいと望むどちらかのセルを選択でき、端末がセルから送信されたどのセルが同じマルチキャステイング・コンテントを送信しているかを示すセル情報に基づいて受信したいと意図するマルチキャステイング・コンテントを送信しているセルの１つを選択する端末。